(57)【要約】【課題】システムエラーを防止することを目的として、無線通信システムのユーザー端末においてＣＰＣ（パケットの継続的連続性）の不連続送受信を改善する方法及び装置を提供する。【解決手段】方法は、機能状態変数値（ＣＰＣ＿ＤＴＸ＿ＤＲＸ＿ＳＴＡＴＵＳ）に基づいて不連続パケット機能を起動する段階と、セル更新プロセスの起動時に上記機能状態変数値を再判断し、対応した動作を実行する段階とを含む。【選択図】図３
2008141758.tif 000002
【特許請求の範囲】
【請求項１】
無線通信システムのユーザー端末においてＣＰＣ（パケットの継続的連続性）を改善するＣＰＣ改善方法であって、
機能状態変数値（ＣＰＣ＿ＤＴＸ＿ＤＲＸ＿ＳＴＡＴＵＳ）に基づいて不連続パケット機能を起動する段階と、
セル更新プロセスの起動時に上記機能状態変数値を再判断し、対応した動作を実行する段階と
を含むことを特徴とするＣＰＣ改善方法。
【請求項２】
前記不連続パケット機能は、アップリンク不連続送信（アップリンクＤＴＸ）と、アップリンク不連続受信（アップリンクＤＲＸ）と、ダウンリンク不連続受信（ダウンリンクＤＲＸ）とを含むことを特徴とする請求項１に記載のＣＰＣ改善方法。
【請求項３】
前記セル更新プロセスの起動原因は、無線リンク障害、ＲＬＣ（無線リンク制御）回復不能エラー、またはＵＥ（ユーザー装置）ケーパビリティー情報の送信失敗によることを特徴とする請求項１に記載のＣＰＣ改善方法。
【請求項４】
前記対応した動作は、
前記機能状態変数が真であれば、同変数を偽にすることと、
前記不連続パケット機能の機能パラメータ変数（ＣＰＣ＿ＤＴＸ＿ＤＲＸ＿ＰＡＲＡＭＳ）を消去することと、
前記不連続パケット機能の関連動作を停止することと
を含むことを特徴とする請求項１に記載のＣＰＣ改善方法。
【請求項５】
無線通信システムにおいてＣＰＣを改善するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置と
を含み、
該プログラムコードは、
機能状態変数値（ＣＰＣ＿ＤＴＸ＿ＤＲＸ＿ＳＴＡＴＵＳ）に基づいて不連続パケット機能を起動するコードと、
セル更新プロセスの起動時に上記機能状態変数値を再判断し、対応した動作を実行するコードと
を含むことを特徴とする通信装置。
【請求項６】
前記不連続パケット機能は、アップリンクＤＴＸと、アップリンクＤＲＸと、ダウンリンクＤＲＸとを含むことを特徴とする請求項５に記載の通信装置。
【請求項７】
前記セル更新プロセスの起動原因は、無線リンク障害、ＲＬＣ回復不能エラー、またはＵＥケーパビリティー情報の送信失敗によることを特徴とする請求項５に記載の通信装置。
【請求項８】
前記対応した動作は、
前記機能状態変数が真であれば、同変数を偽にすることと、
前記不連続パケット機能の機能パラメータ変数（ＣＰＣ＿ＤＴＸ＿ＤＲＸ＿ＰＡＲＡＭＳ）を消去することと、
前記不連続パケット機能の関連動作を停止することと
を含むことを特徴とする請求項５に記載の通信装置。
【発明の詳細な説明】
【技術分野】
【０００１】
本発明は無線通信システムにおいてＣＰＣ（パケットの継続的連続性）を改善する方法及び装置に関し、特に無線通信システムにおいてＣＰＣの不連続送受信（ｄｉｓｃｏｎｔｉｎｕｏｕｓ  ｔｒａｎｓｍｉｓｓｉｏｎ／ｒｅｃｅｐｔｉｏｎ）を改善する方法及び装置に関する。
【背景技術】
【０００２】
第三世代移動通信技術はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムでは動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善することを目的として、従来の第三世代移動通信技術にはＨＳＤＰＡ（高速ダウンリンクパケットアクセス）とＨＳＵＰＡ（高速アップリンクパケットアクセス）が導入された。また、３ＧＰＰはＣＥＬＬ＿ＤＣＨ（セル専用チャネル）状態で動作するユーザー端末（ＵＥ）についてＣＰＣ（パケットの継続的連続性）という概念を導入して、セルのサービス対象端末の数量を増やし、アップリンクチャネルの雑音を抑制し、ＵＥの音声パケットサービスの受信性能を向上させる。
【０００３】
ＨＳＤＰＡシステムでは、ＵＥの物理層はＨＳ−ＰＤＳＣＨ（高速物理ダウンリンク共用チャネル）でペイロードデータを受信し、ＨＳ−ＤＰＣＣＨ（高速物理制御チャネル）で肯定応答／否定応答（ＡＣＫ／ＮＡＣＫ）メッセージとＣＱＩ（チャネル品質識別子）情報を送信する。ＭＡＣ（媒体アクセス制御）層はＭＡＣ−ｈｓエンティティーを利用し、ＨＳ−ＤＳＣＨ（高速ダウンリンク共用チャネル）でペイロードデータからデータパケットを受信する。また、ＨＳ−ＤＳＣＨの制御信号（例えば復調情報）を運ぶ物理ダウンリンクチャネルとしてＨＳ−ＳＣＣＨ（ＨＳ−ＤＳＣＨ共用制御チャネル）がある。
【０００４】
ＨＳＵＰＡシステムでは、ＵＥの物理層はＥ−ＤＰＤＣＨ（Ｅ−ＤＣＨ専用物理データチャネル）でペイロードデータを送信し、Ｅ−ＤＰＣＣＨ（Ｅ−ＤＣＨ専用物理制御チャネル）で関連の制御信号（例えば再送シーケンス番号）を送信する。Ｅ−ＤＰＤＣＨとＥ−ＤＰＣＣＨはいずれもアップリンク物理チャネルである。また、グラント（ｇｒａｎｔ）やＡＣＫなどの制御信号を送信するダウンリンク物理チャネルとして、Ｅ−ＲＧＣＨ（Ｅ−ＤＣＨ相対グラントチャネル）、Ｅ−ＡＧＣＨ（Ｅ−ＤＣＨ絶対グラントチャネル）、Ｅ−ＨＩＣＨ（Ｅ−ＤＣＨ  ＨＡＲＱ肯定応答指示チャネル）、Ｆ−ＤＰＣＨ（分別専用物理チャネル）などがある。ＭＡＣ層はＭＡＣ−ｅ／ｅｓエンティティーを利用し、Ｅ−ＤＣＨ（エンハンスド専用トランスポートチャネル）を通してデータパケットを物理層に送信する。ＭＡＣ層はＴＴＩ（送信時間間隔）＝１０ｍｓか２ｍｓの送信をサポートする。
【０００５】
ＣＥＬＬ＿ＤＣＨ状態について、ＣＰＣではアクティブ状態とイナクティブ状態が規定されている。データチャネル（例えばＥ−ＤＣＨ）のアクティブ状態とは、当該データチャネルでデータパケットが運ばれている状態をいい、制御チャネル（例えばＨＳ−ＤＰＣＣＨ）のアクティブ状態とは、当該制御チャネルに対応するデータチャネル（例えばＨＳ−ＰＤＳＣＨ）でデータパケットが運ばれている状態をいう。それに反して、データチャネル（例えばＥ−ＤＣＨ）のイナクティブ状態とは、当該データチャネルでデータパケットが運ばれていない状態をいい、制御チャネル（例えばＨＳ−ＤＰＣＣＨ）のイナクティブ状態とは、当該制御チャネルに対応するデータチャネル（例えばＨＳ−ＰＤＳＣＨ）でデータパケットが運ばれていない状態をいう。
【０００６】
３ＧＰＰはＣＰＣについてアップリンク不連続送信（アップリンクＤＴＸ）機能を導入している。当該機能とは、アップリンクのイナクティブ時（例えばＥ−ＤＣＨとＨＳ−ＤＰＣＣＨのイナクティブ時）に、制御信号をアップリンク制御チャネルに定期的（継続的ではなく）に送信し、アップリンク制御信号の送信量を減らし、信号の同期と電力制御ループを確保する。ここでいうアップリンク制御チャネルとは、前記アップリンク制御チャネルとＤＰＣＣＨ（専用物理制御チャネル）をさす。アップリンクＤＴＸ機能は２種類の送信モード（パラメータＵＥ＿ＤＴＸ＿ｃｙｃｌｅ＿１とＵＥ＿ＤＴＸ＿ｃｙｃｌｅ＿２で示される）をサポートする。前者はアップリンク制御チャネルを利用する間隔が短く、アップリンクチャネルのイナクティブ時に好適であり、後者のアップリンク制御チャネル利用間隔はＥ−ＤＣＨのイナクティブ時間の長さによって異なる。ＵＥはＵＥ＿ＤＴＸ＿ｃｙｃｌｅ＿１モードごとに１つの信号ＵＥ＿ＤＰＣＣＨ＿ｂｕｒｓｔ＿１を送信する。例えば、ＵＥ＿ＤＴＸ＿ｃｙｃｌｅ＿１を４つのＥ−ＤＰＣＣＨサブフレームとすれば、ＵＥは信号ＵＥ＿ＤＰＣＣＨ＿ｂｕｒｓｔ＿１の送信後、３つのＥ−ＤＰＣＣＨサブフレームにわたってアップリンク制御チャネルを使用しない。なお、ＵＥはパラメータＩｎａｃｔｉｖｉｔｙ＿ｔｈｒｅｓｈｏｌｄ＿ｆｏｒ＿ＵＥ＿ＤＴＸ＿ｃｙｃｌｅ＿２に基づいて、ＵＥ＿ＤＴＸ＿ｃｙｃｌｅ＿２モードごとに１つの信号ＵＥ＿ＤＰＣＣＨ＿ｂｕｒｓｔ＿２を送信するかを決定する。また、送信モードの開始時間を制御するパラメータとしてＵＥ＿ＤＴＸ＿ＤＲＸ＿Ｏｆｆｓｅｔが設けられ、同パラメータは複数のＵＥの送信モード開始時間をずらすために利用される。
【０００７】
そのほか、アップリンク不連続受信（アップリンクＤＲＸ）機能はアップリンクＤＴＸ機能と合わせて、ＵＥが特定の時間に限ってＥ−ＤＣＨを送信するように制御する。一定数量のＴＴＩ（パラメータＵＥ＿Ｉｎａｃｔｉｖｉｔｙ＿Ｔｈｒｅｓｈｏｌｄ）にわたってＵＥがＥ−ＤＣＨ送信を実行しなければ、ネットワークの基地局（ノードＢ）またはＲＮＣ（無線ネットワークコントローラ）は送信モードパラメータＭＡＣ＿ＤＴＸ＿ｃｙｃｌｅに基づいてＵＥのＥ−ＤＣＨ送信開始時間を限定する。なお、複数のＵＥの開始時間をずらすパラメータとしてＵＥ＿ＤＴＸ＿ＤＲＸ＿Ｏｆｆｓｅｔが利用される。
【０００８】
なお、ダウンリンクＤＲＸ機能はＲＮＣの設定に基づいてＵＥのダウンリンク受信タイミングを限定し、電力消費を節減する。したがって、ダウンリンクＤＲＸ機能が起動された場合、一部の状況を除いては、ＵＥはダウンリンク物理チャネルをリッスンする必要がない（例外状況については３ＧＰＰ  ＴＳＧ−ＲＡＮ  ＷＧ２  ＃５６  Ｒ２−０６３５６７を参照）。したがって、ダウンリンクＤＲＸ機能でＨＳ−ＳＣＣＨをリッスンするとき、ＵＥは受信モードパラメータＵＥ＿ＤＲＸ＿ｃｙｃｌｅのサブフレームに基づいてＨＳ−ＳＣＣＨサブフレームを受信する。例えば、受信モードパラメータＵＥ＿ＤＲＸ＿ｃｙｃｌｅを４つのＨＳ−ＳＣＣＨサブフレームとすれば、ＵＥはＨＳ−ＳＣＣＨサブフレームの受信後、３つのＨＳ−ＳＣＣＨサブフレームにわたってＨＳ−ＳＣＣＨをリッスンしない。なお、複数のＵＥの開始時間をずらすパラメータとしてＵＥ＿ＤＴＸ＿ＤＲＸ＿Ｏｆｆｓｅｔが利用され、またダウンリンクＤＲＸ機能はアップリンクＤＴＸ機能と合わせて利用しなければならない。
【０００９】
無線資源制御（ＲＲＣ）について、ＵＥとネットワーク（基地局またはＲＮＣ）は上記モードとパラメータをＲＲＣメッセージと情報要素（ＩＥ）に載せて交換することで、ＣＰＣ機能の信号とプロセス設定を行う。３ＧＰＰが規定したＲＲＣプロトコルによれば、ＣＰＣタイミング情報要素はＵＥ＿ＤＴＸ＿ＤＲＸ＿Ｏｆｆｓｅｔなどのパラメータを含み、再設定時にＣＰＣ機能の起動時間を遅延させ、複数のＵＥのアップリンク送信モード起動時間をずらすことができる。なお、ＣＰＣ  ＤＴＸ−ＤＲＸ情報要素は上記パラメータと設定を運び、同ＩＥで運ばれるパラメータとしてＵＥ＿ＤＴＸ＿ｃｙｃｌｅ＿１／２、ＵＥ＿ＤＰＣＣＨ＿ｂｕｒｓｔ＿１／２、Ｉｎａｃｔｉｖｉｔｙ＿ｔｈｒｅｓｈｏｌｄ＿ｆｏｒ＿ＵＥ＿ＤＴＸ＿ｃｙｃｌｅ＿２、ＭＡＣ＿ＤＴＸ＿ｃｙｃｌｅなどがある。上記ＩＥはＲＲＣ接続設定（ＲＲＣ  ＣＯＮＮＥＣＴＩＯＮ  ＳＥＴＵＰ）、アクティブセット更新（ＡＣＴＩＶＥ  ＳＥＴ  ＵＰＤＡＴＥ）、セル更新確認（ＣＥＬＬ  ＵＰＤＡＴＥ  ＣＯＮＦＩＲＭ）またはその他の再設定メッセージで運ばれ、対応するＲＲＣプロセスでＵＥに送信される。ＵＥは受信したパラメータを変数ＣＰＣ＿ＤＴＸ＿ＤＲＸ＿ＰＡＲＡＭＳに保存する。
【００１０】
そのほか、ＵＥには変数ＣＰＣ＿ＤＴＸ＿ＤＲＸ＿ＳＴＡＴＵＳが設けられ、同変数は真／偽（Ｔ／Ｆ）で不連続送受信機能のアクティブ／イナクティブ状態を示す。ＲＲＣプロトコルによれば、再設定メッセージを受信すると、ＵＥは変数ＣＰＣ＿ＤＴＸ＿ＤＲＸ＿ＳＴＡＴＵＳの判断プロセスを実行すべきである。下記条件がすべて満足された場合に、変数ＣＰＣ＿ＤＴＸ＿ＤＲＸ＿ＳＴＡＴＵＳを真にする。
【００１１】
１．ＵＥがＣＥＬＬ＿ＤＣＨ状態にある。
２．変数ＨＳ＿ＤＳＣＨ  ＲＥＣＥＰＴＩＯＮとＥ＿ＤＣＨ＿ＴＲＡＮＳＭＩＳＳＩＯＮがすべて真とされる。
３．使用中のＤＣＨがない。
４．変数ＣＰＣ＿ＤＴＸ＿ＤＲＸ＿ＰＡＲＡＭＳの設定が完了した。
５．ＵＥが再設定メッセージからＣＰＣタイミング情報要素を受信した。
【００１２】
上記条件のいずれかが満たされないが、変数ＣＰＣ＿ＤＴＸ＿ＤＲＸ＿ＳＴＡＴＵＳが真となった場合は、ＵＥで下記動作を実行すべきである。
【００１３】
１．変数ＣＰＣ＿ＤＴＸ＿ＤＲＸ＿ＳＴＡＴＵＳを偽にする。
２．変数ＣＰＣ＿ＤＴＸ＿ＤＲＸ＿ＰＡＲＡＭＳを消去する。
３．不連続送受信の関連動作を停止する。
【００１４】
変数ＣＰＣ＿ＤＴＸ＿ＤＲＸ＿ＳＴＡＴＵＳを真とした場合、ＵＥで変数ＣＰＣ＿ＤＴＸ＿ＤＲＸ＿ＰＡＲＡＭＳに基づいて物理層とＭＡＣ層の不連続送受信機能を起動すべきである。
【００１５】
以上のとおり、ＵＥは再設定メッセージを受信した場合にのみ変数ＣＰＣ＿ＤＴＸ＿ＤＲＸ＿ＳＴＡＴＵＳの真偽を判断し、不連続送受信機能はＣＥＬＬ＿ＤＣＨ状態にしか適用されない。ＵＥで不連続送受信機能を利用する間に、システムに無線リンク障害、ＲＬＣ（無線リンク制御）回復不能エラー、ＵＥケーパビリティー情報メッセージの送信失敗などの故障が生じれば、ＵＥはセル更新プロセスを実行する。そうすれば、ＵＥはＣＥＬＬ＿ＤＣＨ状態からＣＥＬＬ＿ＦＡＣＨ（セルフォワードアクセスチャネル）状態に移行して好適なＵＴＲＡ（ＵＭＴＳ無線アクセス）セルを選択する。しかし、従来の規格ではこの場合の不連続送受信機能の実行方法について何も規定していない。したがって、ＣＥＬＬ＿ＤＣＨ状態が終了した後、ＵＥは変数ＣＰＣ＿ＤＴＸ＿ＤＲＸ＿ＳＴＡＴＵＳを再判断することがない。言い換えれば、ＣＥＬＬ＿ＦＡＣＨ状態に移行した後、ＵＥは好適でない状態で不連続送受信機能を実行することを余儀なくされ、物理層とＭＡＣ層にエラーが生じうる。
【００１６】
無線リンク障害は地下室や郊外など受信環境が好ましくない場所に多発する。その発生原因はさまざまであり、例えばＲＬＣリセットやＲＬＣ回復がその例である。なお、ＵＥケーパビリティー情報メッセージは、ＵＥのケーパビリティー情報（例えば無線アクセスケーパビリティー）をＵＴＲＡＮ（ＵＭＴＳ無線アクセスネットワーク）に送信するために利用される。
【発明の開示】
【発明が解決しようとする課題】
【００１７】
本発明はシステムエラーを防止することを目的として、無線通信システムのユーザー端末においてＣＰＣの不連続送受信を改善する方法及び装置を提供することを課題とする。
【課題を解決するための手段】
【００１８】
本発明は無線通信システムのユーザー端末においてＣＰＣ（パケットの継続的連続性）を改善する方法を提供する。該方法は、機能状態変数値（ＣＰＣ＿ＤＴＸ＿ＤＲＸ＿ＳＴＡＴＵＳ）に基づいて不連続パケット機能を起動する段階と、セル更新プロセスの起動時に上記機能状態変数値を再判断し、対応した動作を実行する段階とを含む。
【００１９】
本発明は更に、無線通信システムにおいてＣＰＣを改善するための通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、機能状態変数値（ＣＰＣ＿ＤＴＸ＿ＤＲＸ＿ＳＴＡＴＵＳ）に基づいて不連続パケット機能を起動するコードと、セル更新プロセスの起動時に上記機能状態変数値を再判断し、対応した動作を実行するコードとを含む。
【発明の効果】
【００２０】
本発明は無線リンク障害、ＲＬＣエラーまたはＵＥケーバビリティー情報メッセージの送信失敗が発生した場合にＵＥの不連続パケット機能を停止させ、システムエラーを防止することができる。
【発明を実施するための最良の形態】
【００２１】
かかる方法及び装置の特徴を詳述することを目的として、具体的な実施例を挙げ、図を参照にして以下に説明する。
【００２２】
図１を参照する。図１は無線通信システムに設けられる無線通信装置１００のブロック図である。説明を簡素化することを目的として、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。無線通信装置１００は望ましくは第三世代移動通信システムの高速パケットアクセスシステムに用いられ、ＣＰＣ機能をサポートする。
【００２３】
図２を参照する。図２は図１に示すプログラムコード１１２を表す説明図である。プログラムコード１１２はアプリケーション層２００と、第三層２０２と、第一層２１８と接続される第二層２０６を備える。第三層２０２には、第一層２１８、第二層２０６及びネットワークの通信装置（基地局またはＵＴＲＡＮ）を制御してピア・ツー・ピア方式で交信させるＲＲＣエンティティー２２２が設けられる。ＲＲＣエンティティー２２２は無線通信装置１００のＲＲＣ状態を変更し、例えばネットワークシステムの要求や通信環境の変換に応じてアイドリング状態、ＣＥＬＬ＿ＰＣＨ（セルページング）状態、ＵＲＡ＿ＰＣＨ（ＵＴＲＡＮ登録領域ページングチャネル）状態、ＣＥＬＬ＿ＦＡＣＨ状態、またはＣＥＬＬ＿ＤＣＨ状態に切り替える。
【００２４】
第二層２０６にはＲＬＣ（無線リンク制御）層とＭＡＣ（媒体アクセス制御）層が設けられる。ＲＬＣ層は論理チャネルを通してＭＡＣ層とパケットを交換することで無線リンクを確立する。ＭＡＣ層はトランスポートチャネルを通して他のＭＡＣ層とパケットを交換する。第一層２１８は物理層であって、複数の物理チャネルで無線フレームを受発信する。ＨＳＤＰＡシステムでは、ＭＡＣ層はＨＳ−ＤＳＣＨ（ダウンリンクデータチャネル）で物理層からパケットを受信し、物理層はＨＳ−ＰＤＳＣＨ（ダウンリンクデータチャネル）、ＨＳ−ＤＰＣＣＨ（アップリンク制御チャネル）及びＨＳ−ＳＣＣＨ（ダウンリンク制御チャネル）で基地局かＵＴＲＡＮと物理データを交換する。ＨＳＵＰＡシステムでは、ＭＡＣ層はＥ−ＤＣＨ（アップリンクデータチャネル）で物理層にパケットを送信し、物理層は  Ｅ−ＤＰＤＣＨ、Ｅ−ＤＰＣＣＨ、Ｅ−ＲＧＣＨ、Ｅ−ＡＧＣＨ、Ｅ−ＨＩＣＨ、及びＦ−ＤＰＣＨで基地局かＵＴＲＡＮと物理データを交換する。
【００２５】
ネットワークの通信装置はＲＲＣメッセージとＩＥを生成し、無線ベアラ（ＲＢ）を通してＣＰＣ機能の構成設定を無線通信装置１００に送信する。ＣＰＣの不連続パケット機能について、ネットワークの通信装置は機能パラメータを再設定メッセージに載せて送信し、無線通信装置１００は受信したパラメータ設定を変数ＣＰＣ＿ＤＴＸ＿ＤＲＸ＿ＰＡＲＡＭＳに保存し、これで第二層２０６、第一層２１８及び関連チャネルの動作を変更する。なお、無線通信装置１００には変数ＣＰＣ＿ＤＴＸ＿ＤＲＸ＿ＳＴＡＴＵＳが設けられ、同変数は真／偽（Ｔ／Ｆ）で不連続送受信機能のアクティブ／イナクティブ状態を示す。
【００２６】
システムエラーを防止することを目的として、本発明は上記プログラムコード１１２に不連続パケット機能管理プログラムコード２２０を設ける。図３を参照する。図３は本発明による方法３０のフローチャートである。下記方法３０は無線通信システムのユーザー端末においてＣＰＣの不連続パケット機能の改善に用いられ、不連続パケット機能管理プログラムコード２２０としてコンパイルすることができる。
【００２７】
ステップ３００：開始。
ステップ３０２：機能状態変数値に基づいて不連続パケット機能を起動する。
ステップ３０４：セル更新プロセスの起動時に機能状態変数値を再判断し、対応した動作を実行する。
ステップ３０６：終了。
【００２８】
上記不連続パケット機能は望ましくはアップリンクＤＴＸ、アップリンクＤＲＸ、ダウンリンクＤＲＸなどの不連続送受信機能であり、機能状態変数は変数ＣＰＣ＿ＤＴＸ＿ＤＲＸ＿ＳＴＡＴＵＳである。変数ＣＰＣ＿ＤＴＸ＿ＤＲＸ＿ＳＴＡＴＵＳが真とされたとき、ＵＥで不連続パケット機能を起動し、その間に無線リンク障害、ＲＬＣエラーやＵＥケーパビリティー情報メッセージの送信失敗が発生すれば、ＵＥでセル更新プロセスを実行する。セル更新プロセスの起動後、ＵＥはＣＥＬＬ＿ＤＣＨ状態からＣＥＬＬ＿ＦＡＣＨ状態に移行する。この場合、ＵＥで判断プロセスを実行して変数ＣＰＣ＿ＤＴＸ＿ＤＲＸ＿ＳＴＡＴＵＳの値を再判断する。同判断プロセスではＵＥがＣＥＬＬ＿ＤＣＨ状態でない（前記判断プロセスの条件１と抵触する）ので、ＵＥで下記動作を実行する。即ち、（１）変数ＣＰＣ＿ＤＴＸ＿ＤＲＸ＿ＳＴＡＴＵＳが真であればそれを偽にする。（２）変数ＣＰＣ＿ＤＴＸ＿ＤＲＸ＿ＰＡＲＡＭＳを消去する。（３）不連続送受信の関連動作を停止する。例えばＨＳ−ＤＰＣＣＨの不連続送信（アップリンクＤＴＸ機能）、Ｅ−ＤＣＨの不連続送信（アップリンクＤＲＸ機能）、またはＨＳ−ＳＣＣＨの不連続受信（ダウンリンクＤＲＸ機能）を停止する。そうすると、不連続パケット機能はイナクティブとされる。
【００２９】
また、他の停止方式として、セル更新プロセスでＵＴＲＡセルを選んだ後にＵＥで上記３つの動作を実行し、判断プロセスを経由せずに不連続パケット機能を停止する。
【００３０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３１】
本発明は従来の動作条件を変更したのみであり、実施可能である。
【図面の簡単な説明】
【００３２】
【図１】本発明による無線通信装置のブロック図である。
【図２】図１に示すプログラムコードを表す説明図である。
【図３】本発明による方法のフローチャートである。
【符号の説明】
【００３３】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  不連続パケット機能管理プログラムコード
２２２  ＲＲＣエンティティー
【図１】
2008141758.tif 000003
【図２】
2008141758.tif 000004
【図３】
2008141758.tif 000005